(57)【要約】【課題】開閉操作時に前方への扉の出っ張り量を少なくし、開扉時に二枚の扉が重なり状となるようにすることで、家具本体の開口部に対して扉のかぶり代を少なくし、家具本体の開口幅を広くすることで品物の出し入れが円滑に行え、収納性や収納容積の向上が図れる家具類の開閉扉を提供する。【解決手段】家具本体１の開口部に枢止した第１の扉３と、この第１の扉３と一体に開閉動するよう家具本体１に取り付けた第２の扉４からなり、上記第１の扉３と第２の扉４を、開閉動作時に第２の扉４が第１の扉３に対して前面側を面方向に移動するよう連動し、第１の扉３が開位置にあるとき第２の扉４がこの第１の扉３の前面側に重なり状となって開位置になり、閉扉時に第１の扉３と第２の扉４が並列するようになっている。【選択図】  図３
2005016240.tif 000002
【特許請求の範囲】
【請求項１】
家具本体の開口部にこの開口部を開閉するよう枢止した第１の扉と、この第１の扉と一体に開閉動するよう家具本体に取り付けた第２の扉からなり、上記第１の扉と第２の扉を、開閉動作時に第２の扉が第１の扉に対して面方向に移動するよう連動し、第１の扉が開位置にあるとき第２の扉がこの第１の扉の一面側に重なり状となって開位置になり、第１の扉が閉位置にあるとき第１の扉と並ぶ閉位置になるようにした家具類の開閉扉。
【請求項２】
上記第２の扉は、第１の扉に対してこの第１の扉の外面を面方向に移動するようガイド機構を介して第１の扉と連動され、第２の扉がこの第２の扉の回動半径を一定に規制する回動アームで家具本体に枢止されている請求項１に記載の家具類の開閉扉。
【請求項３】
上記第２の扉は、第１の扉に対してこの第１の扉と並列する状態から第１の扉の内面を面方向に移動するようガイド機構を介して第１の扉と連動され、第２の扉がこの第２の扉の回動半径を一定に規制する回動アームで家具本体に枢止されている請求項１に記載の家具類の開閉扉。
【発明の詳細な説明】
【０００１】
【発明の属する技術分野】
この発明は、家具類の開口部を開閉する開閉扉、更に詳しくは、第１の扉と第２の扉の二枚の扉からなり、開位置で二枚の扉が重なりあうことで前方への出っ張り量を少なくすることができ、しかも、開閉動作が身体に負担をかけずに自然な姿勢で円滑に行え、家具本体の開口部を全開することができるようにした開閉扉に関する。
【０００２】
【従来の技術】
従来、食器棚や収納家具のような家具類の開口部を開閉する開閉扉は、図１１（Ａ）のように、家具本体４１の前面開口部の両側に、一枚扉又は二枚の扉４２を取り付けた観音開きが一般的であるが、このような観音開きの扉４２は、扉４２の開閉操作時には、前方への扉の出っ張り量が多くなるため、家具本体４１の前面側に広いスペースを確保する必要が生じることになり、このため、図１１（Ｂ）に示すように、閉扉状態では二枚の扉が並列し、開扉状態では二枚の扉が折れ曲がるようにした二つ折り扉４３が提案されている（例えば、特許文献１参照）。
【０００３】
また、吊戸棚のような家具類の開口部を開閉する跳ね上げ式の開閉扉は、図１２（Ａ）のように、家具本体４１の前面開口部に、一枚の扉４４を跳ね上げ可能に取り付けたり、図１２（Ｂ）のように、上下二枚の扉を二つ折り可能とした二つ折り扉４５としたり、図１２（Ｃ）のように、上下別々の跳ね上げ可能な二枚の扉４６で開閉自在とした構造が採用されている。
【０００４】
【特許文献１】
特開平８−６０９３９号公報（図１）
【０００５】
【発明が解決しようとする課題】
ところで、上記のような従来の二つ折り扉４３は、開閉操作時に前方への扉の出っ張り量が略半分になるという利点はあるが、家具本体４１に枢止した第１の扉に対して、第２の扉は第１の扉に枢止連結され、その先端側が家具本体の開口部の前部幅方向に設けたガイドレールに沿って移動するようになっているので、第１の扉と第２の扉は、二つ折りにした開扉状態でＶ字状となり、このため、家具本体４１の開口部に対して扉のかぶり代が残り、その分、開口幅が狭くなり、品物の出し入れに支障を与えるだけでなく、収納性や収納容積が制約されるという問題がある。
【０００６】
また、跳ね上げ式の開閉扉は、一枚の扉４４の場合前方への扉の出っ張り量が多くなったり、二つ折り扉４５では家具本体の開口部に対して扉のかぶり代が残り、その分、開口幅が狭くなり、品物の出し入れに支障を与えたり、二枚の扉４６では家具本体の収納物を一度に見ることができないという問題がある。
【０００７】
そこで、この発明の課題は、開閉操作時に前方への扉の出っ張り量を少なくし、開扉時に二枚の扉が重なり状となるようにすることで、家具本体の開口部に対して扉のかぶり代をなくし、家具本体の開口幅を広くすることで品物の出し入れが円滑に行え、家具本体の収納物を一度に見ることができ、収納性や収納容積の向上を図ることができる家具類の開閉扉を提供することにある。
【０００８】
【課題を解決するための手段】
上記のような課題を解決するため、この発明は、家具本体の開口部にこの開口部を開閉するよう枢止した第１の扉と、この第１の扉と一体に開閉動するよう家具本体に取り付けた第２の扉からなり、上記第１の扉と第２の扉を、開閉動作時に第２の扉が第１の扉に対して面方向に移動するよう連動し、第１の扉が開位置にあるとき第２の扉がこの第１の扉の一面側に重なり状となって開位置になり、第１の扉が閉位置にあるとき第１の扉と並ぶ閉位置になるようにした構成を採用したものである。
【０００９】
上記第２の扉は、第１の扉に対してこの第１の扉の外面を面方向に移動するようガイド機構を介して第１の扉と連動され、第２の扉がこの第２の扉の回動半径を一定に規制する回動アームで家具本体に枢止されているようにすることができる。
【００１０】
また、上記第２の扉は、第１の扉に対してこの第１の扉と並列する状態から第１の扉の内面を面方向に移動するようガイド機構を介して第１の扉と連動され、第２の扉がこの第２の扉の回動半径を一定に規制する回動アームで家具本体に枢止されている構造とすることができる。
【００１１】
上記第１の扉は家具本体に蝶番で枢着され、この第１の扉に第２の扉を取り付けるガイド機構は、第１の扉側に固定した溝型ガイドと第２の扉側に固定した溝型ガイドの間に、多数の転子を保持した中間移動杆を介在させた構造を有し、第２の扉を第１の扉の面方向に移動することができるように支持している。
【００１２】
また、閉扉状態で第１の扉と第２の扉が同一面に並ぶようにするには、開扉の初期及び閉扉の終端において、第１の扉に対して第２の扉の面方向の移動が必要になり、このような場合は、第２の扉へのガイド機構の取り付け又は第１の扉へのガイド機構の取り付けに、揺動部材を介して行うようにする。
【００１３】
【発明の実施の形態】
以下、この発明の実施の形態を図示例と共に説明する。
【００１４】
図示のように、家具本体１の開口部を開閉する開閉扉２は、家具本体１の開口部にこの開口部を開閉するよう蝶番等で枢着された第１の扉３と、この第１の扉３と連動して開閉動するよう家具本体１に取り付けた第２の扉４からなり、上記第１の扉３と第２の扉４を、開閉動作時に第２の扉４が第１の扉３に対して面方向に移動するよう連動し、第１の扉３が開位置にあるとき第２の扉４がこの第１の扉３の一面側に重なり状となって開位置になり、第１の扉３が閉位置にあるとき第１の扉４と並ぶ閉位置になるようになっており、第２の扉４が開扉時に第１の扉３の外面に重なるタイプと、第１の扉３の内面に重なるタイプがある。
【００１５】
図１乃至図４に示す第１の実施の形態は、食器戸棚のような家具における家具本体１の前面の開口部を二組の開閉扉２で開閉することができるようにしたものであり、開扉時に第２の扉４が第１の扉３の外面に重なるタイプである。
【００１６】
上記開閉扉２は、第１の扉３と第２の扉４が、略等しい上下に長い矩形状に形成され、第１の扉３を家具本体１の開口部で側縁の部分に枢着し、第２の扉４は、第１の扉３に対してこの第１の扉３の外面を面方向に移動するようガイド機構５を介して第１の扉３と連動され、第２の扉４がこの第２の扉４の回動半径を一定に規制する回動アーム６で家具本体１に枢止されている。
【００１７】
図４のように、上記第２の扉４には、その上端部に家具本体１側へ突出する水平部７の先端に垂下部８を連成したＬ形のカバー部材９が全長にわたって固定され、第２の扉４が第１の扉３の外面に重なるとき、このカバー部材９が第１の扉３の上端部に外嵌するようになっており、このカバー部材９における水平部７と第１の扉３の上端面の間及び、垂下部８と第１の扉３の背面の間にガイド機構５を設け、両ガイド機構５による誘導で第２の扉４は、第１の扉３の外面を面方向に移動するようになっている。
【００１８】
上記ガイド機構５は、第１の扉３に固定した溝型ガイド１０と第２の扉４側となるカバー部材９に固定した溝型ガイド１１の間に、多数の転子を保持した中間移動杆１２を介在させた構造を有し、第２の扉４が第１の扉３の外面に重なるとき、中間移動杆１２は両扉３と４の幅内に収まり、第２の扉４が第１の扉３から引き出された閉扉位置にあるとき、中間移動杆１２は第１と第２の扉の上下溝型ガイド１０、１１にそれぞれ跨がる中間位置にあって、第２の扉４の重量を支持するようになっている。
【００１９】
上記回動アーム６は、平面的に回動自在となるよう一方の端部を上記蝶番に対して後方の位置において家具本体１にピン１３で枢着し、他方の端部を第２の扉４側となるカバー部材９の垂下部８に設けた水平のヒンジ１４とピン１５で枢着し、第２の扉４の回動半径を一定に規制している。
【００２０】
ここで、開閉扉２の開閉操作時に、第１の扉３は蝶番を中心に回動し、この第１の扉３にガイド機構５を介して取り付けた第２の扉４も、第１の扉３と一体に上記蝶番を中心に回動することになるが、第２の扉４は回動アーム６と枢止連結されているので、回動半径が制限を受け、回動アーム６はカバー部材９との枢止点が蝶番に対して接近又は離反するように回動し、この回動アーム６の回動で第２の扉４は第１の扉３の外面を面方向に移動することになる。
【００２１】
従って、第２の扉４は、開閉扉２の開閉操作時に、蝶番を支点とする回動と第１の扉３の面方向への移動の複合した動きが生じることになる。
【００２２】
第１の実施の形態の開閉扉２は、上記のような構成であり、家具本体１の開口部の両側に開閉扉２を取り付け、開閉扉２が閉扉状態にあるときは、第１の扉３から引き出された第２の扉４は並列状態に並び、第２の扉４は第１の扉３の厚み分だけ前方に位置している。
【００２３】
開扉を行うには、第２の扉４の端部に取り付けた把手１６を手前に引けばよく、ガイド機構５を介して連動している第２の扉４と第１の扉３は、蝶番を支点にして手前に回動することになる。
【００２４】
このとき、第２の扉４は家具本体１に枢止した回動アーム６を手前に引くことになり、回動アーム６はピン１３を支点に回動して第２の扉４の回動半径を規制することで、蝶番を支点に開き方向に回動する第２の扉４を第１の扉３側に引くことになり、従って、第１の扉３と第２の扉４の開度の増大と共に、第２の扉４は第１の扉３の外面側に重なって行き、第１の扉３と第２の扉４を９０°以上回動させた全開状態では、第１の扉３の外面に第２の扉４が重なった状態になる。
【００２５】
上記開扉時に、開方向に回動して行く第１の扉３と第２の扉４は、開度の増大と共に、第２の扉４は第１の扉３の外面側に重なって行くので、前方への突出量が両扉の合計幅に対して減少し、全開状態では一枚の扉の幅となるので、前面のスペースの確保が少なくてすむことになる。
【００２６】
また、全開状態において、蝶番を支点にして開いた第１の扉３の外面に第２の扉４が重なるので、家具本体１の開口部の全幅を開放することができ、開口部に対する扉のかぶり代がないので、品物の出し入れが容易になり、収納した品物を一度に見渡すことができる。
【００２７】
上記全開状態から開閉扉２を閉じるには、把手１６を握って第２の扉４を第１の扉３から引き出すようにしながら家具本体１に向けて押し込めばよく、第１の扉３と第２の扉４は蝶番を支点に閉じ方向に回動するが、このときピン１３を支点に回動する回動アーム６は、第２の扉４を第１の扉３の先端側に押すことになり、従って、第２の扉４は第１の扉３の先端側に移動し、第１の扉３と第２の扉４は並列状態で開口部を閉じることになる。
【００２８】
図５乃至図７に示す第２の実施の形態は、食器戸棚のような家具における前面の開口部を二組の開閉扉２で開閉することができるようにしたものであり、開扉時に第２の扉４が第１の扉３の外面に重なるタイプである。なお、上述した第１の実施の形態と同一部分には同一符号を付して説明に代える。
【００２９】
この第２の実施の形態の開閉扉２は、閉扉の状態で第１の扉３と第２の扉４が同一面状に並列するようにしたものであり、開扉の初期及び閉扉の終端において、第１の扉３に対して第２の扉４が面方向に移動するようになっている。
【００３０】
第１の扉３の上端面にガイド溝２１を全長にわたって設け、このガイド溝２１の第２の扉４寄りの端部で家具本体１側の立ち上がり壁に切り欠き部２２を形成し、第２の扉４のカバー部材９の端部に、第１の扉３と第２の扉４が同一面状に並列する閉扉状態でガイド溝２１上に突出する延長部２３を設け、この延長部２３の下面にガイド溝２１内を転動するローラ２４が枢止されている。
【００３１】
上記ローラ２４は、第２の扉４が第１の扉３に重なる状態でガイド溝２１内に収まり、第１の扉３と第２の扉４が同一面状に並列する閉扉状態で切り欠き部２２に臨むことで、第２の扉４の面方向の移動を可能にするように位置が設定されている。
【００３２】
上記第１の扉３の背面とカバー部材９における垂下部８との間に設けたガイド機構５のカバー部材９に対する取り付けは、垂下部８に一端を枢止して他端を溝型ガイド１１に枢止した複数の板状となる揺動部材２５を介して行い、第２の扉４の面方向の移動を許容するようになっている。
【００３３】
また、家具本体１に対して第２の扉４を取り付ける回動アーム６は、長さの異なる長短二本を用いていると共に、開閉扉２を開くときに第１の扉３と第２の扉４が開き方向に干渉しないように、第１の扉３と第２の扉４の互いに隣接する端部は斜めになっている。
【００３４】
第２の実施の形態の開閉扉２は、上記のような構成であり、家具本体１の開口部の両側に開閉扉２を取り付け、開閉扉２が閉扉状態にあるときは、第１の扉３と引き出された第２の扉４は同一面で並列状態に並び、ローラ２４が切り欠き部２２に臨んでいると共に、図７（Ａ）のように、ガイド機構５はカバー部材９の垂下部８から離反した位置にある。
【００３５】
開扉を行うには、第２の扉４の端部に取り付けた把手１６を手前に引けばよく、先ず、第２の扉４が手前に移動してローラ２４がガイド溝２１内に収まって手前の立ち上がり壁に当接することで、ガイド機構５を介して連動している第２の扉４と第１の扉３は、蝶番を支点にして手前に一体に回動することになる。
【００３６】
このとき、第２の扉４は家具本体１に枢止した回動アーム６を手前に引くことになり、回動アーム６はピン１３を支点に回動して第２の扉４の回動半径を規制することで、蝶番を支点に開き方向に回動する第２の扉４を第１の扉３側に引くことになり、従って、第１の扉３と第２の扉４の開度の増大と共に、第２の扉４は第１の扉３の外面側に重なって行き、第１の扉３と第２の扉４を９０°以上回動させた全開状態では、第１の扉３の外面に第２の扉４が重なった状態になり、全開状態では一枚の扉の幅となるので、前面のスペースの確保が少なくてすみ、家具本体１の開口部の全幅を開放することができ、開口部に対する扉のかぶり代がないので、品物の出し入れが容易になり、収納した品物を一度に見渡すことができる。
【００３７】
上記全開状態から開閉扉２を閉じるには、把手１６を握って第２の扉４を第１の扉３から引き出すようにしながら家具本体１に向けて押し込めばよく、第１の扉３と第２の扉４は蝶番を支点に閉じ方向へ一体に回動するが、このときピン１３を支点に回動する回動アーム６は、第２の扉４を第１の扉３の先端側に押すことになり、従って、第２の扉４は第１の扉３の先端側に移動し、閉扉の直前で第２の扉４を家具本体１側に押し込めば、ローラ２４が切り欠き部２２に臨んで、第１の扉３と第２の扉４は同一面状に並列した状態で開口部を閉じることになる。
【００３８】
図８と図９に示す第３の実施の形態は、食器戸棚のような家具における前面の開口部を二組の開閉扉２で開閉することができるようにしたものであり、開扉時に第２の扉４が第１の扉３の内面に重なるタイプである。なお、上述した第１及び第２の実施の形態と同一部分には同一符号を付して説明に代える。
【００３９】
この第３の実施の形態の開閉扉２も、開口部を閉じた状態で第１の扉３と第２の扉４が同一面状に並列するようにしたものであり、開扉の初期及び閉扉の終端において、第１の扉３に対して第２の扉４が面方向に移動するようになっている。
【００４０】
第２の扉４の上端面にガイド溝２１を全長にわたって設け、このガイド溝２１の第１の扉３寄りの端部で家具本体１側の立ち上がり壁に切り欠き部２２を形成し、第１の扉３の上端に設けたカバー部材９の端部に、第１の扉３と第２の扉４が同一面状に並列する閉扉状態でガイド溝２１上に突出する延長部２３を設け、この延長部２３の下面にガイド溝２１を誘導するためのローラ２４が枢止されている。
【００４１】
上記ローラ２４とガイド溝２１の関係は、第２の扉４が第１の扉３の内面に重なる状態でガイド溝２１がローラ２４に外嵌し、第１の扉３と第２の扉４が同一面状に並列する閉扉状態でローラ２４が切り欠き部２２に臨むことで、第２の扉４の面方向の移動を可能にするように位置が設定されている。
【００４２】
上記第２の扉４の背面と第１の扉３のカバー部材９における垂下部８との間に設けたガイド機構５の第２の扉４に対する取り付けは、第２の扉４に一端を枢止し他端を溝型ガイド１１に枢止した複数の揺動部材２５を介して行い、第２の扉４の面方向の移動を許容するようになっている。
【００４３】
また、家具本体１に対して第２の扉４を取り付ける回動アーム６は、長さの異なる長短二本を用いていると共に、開閉扉２を開くときに第１の扉３と第２の扉４が開き方向に干渉しないように、第１の扉３と第２の扉４の互いに隣接する端部は斜めになっている。
【００４４】
第３の実施の形態の開閉扉２は、上記のような構成であり、家具本体１の開口部の両側に開閉扉２を取り付け、開閉扉２が閉扉状態にあるときは、第１の扉３と引き出された第２の扉４は同一面で並列状態に並び、ローラ２４が切り欠き部２２に臨んでいると共に、図９（Ａ）のように、ガイド機構５は第１の扉３から離反した位置にある。
【００４５】
開扉を行うには、第２の扉４の端部に取り付けた把手１６を手前に引けばよく、先ず、第１の扉３と第２の扉４が蝶番を支点にして手前に回動するが、回動アーム６によって回動の半径が規制を受ける第２の扉４の第１の扉３側の部分が家具本体１側に引かれることで、ガイド溝２１がローラ２４に嵌合して手前側の立ち上がり壁がローラ２４に当接することで、ガイド機構５を介して連動している第２の扉４と第１の扉３は、蝶番を支点にして手前に回動することになる。
【００４６】
続いて、第２の扉４は家具本体１に枢止した回動アーム６を手前に引くことで、蝶番を支点に開き方向に回動する第２の扉４を第１の扉３側に引くことになり、従って、第１の扉３と第２の扉４の開度の増大と共に、第２の扉４は第１の扉３の内面側に重なって行き、第１の扉３と第２の扉４を９０°以上回動させた全開状態では、第１の扉３の内面に第２の扉４が重なった状態になり、全開状態では一枚の扉の幅となるので、前面のスペースの確保が少なくてすみ、家具本体１の開口部の全幅を開放することができ、開口部に対する扉のかぶり代がないので、品物の出し入れが容易になり、収納した品物を一度に見渡すことができる。
【００４７】
上記全開状態から開閉扉２を閉じるには、把手１６を握って第２の扉４を第１の扉３から引き出すようにしながら家具本体１に向けて押し込めばよく、第１の扉３と第２の扉４は蝶番を支点に閉じ方向に回動するが、このときピン１３を支点に回動する回動アーム６は、第２の扉４を第１の扉３の先端側に押すことになり、従って、第２の扉４は第１の扉３の先端側に移動し、閉扉の直前で第２の扉４の第１の扉３側の部分が手前に移動することで切り欠き部２２がローラ２４に臨み、第１の扉３と第２の扉４は同一面状の並列状態で開口部を閉じることになる。
【００４８】
図１０（Ａ）乃至（Ｃ）示す第４の実施の形態は、吊戸棚のような家具における前面の開口部を跳ね上げ式の開閉扉２で開閉することができるようにしたものであり、基本的には、第３の実施の形態の開閉扉２を横向きに配置して跳ね上げ式としたものであり、上述した第３の実施の形態と同一部分に同一符号を用いて説明する。
【００４９】
この第４の実施の形態の開閉扉２は、家具本体１の前面開口部の上半部を閉じる第１の扉３と下半部を閉じる第２の扉４とからなり、第１の扉３はその上端部を家具本体１の開口部における上縁部に、手前へ跳ね上げることができるように蝶番で枢着し、その両側に設けた上下方向の側縁ガイドレール部材３１に第１の扉３よりも家具本体１側に位置するガイド溝３２が対向面側で開口するように形成されている。
【００５０】
上記第２の扉４は、その両側に設けた摺動杆３３がガイド溝３２内に収まり、第１の扉３の背面側を上下に移動自在となるよう連動され、第１の扉３と一体に上下に回動するようになっていると共に、この第２の扉４は、長短二本の回動アーム６を用いて両側が家具本体１に枢止連結され、第２の扉４はこの回動アーム６で回動半径が一定に規制されている。
【００５１】
なお、第１の扉３の跳ね上げ状態の保持は、図１０（Ａ）のように、第１の扉３と家具本体１の間に伸縮ダンパー３４を設けたり、図示省略したが、家具本体１に一端を固定した定荷重バネと第１の扉３をワイヤーで接続した吊り合い手段等を用いて行うようにすればよい。
【００５２】
この第４の実施の形態の開閉扉２は、上記のような構成であり、図１０（Ｂ）のように、閉扉状態では、第１の扉３の下部に第２の扉４が引き出され、下向きとなるこの第１の扉３と第２の扉４で家具本体１の前面開口部を閉鎖している。
【００５３】
開扉を行うには、第２の扉４の端部に取り付けた把手１６を手前に引くようにして開閉扉２を跳ねあげるようにすると、第１の扉３の蝶番を支点にして第１の扉３と第２の扉４が上方に回動し、このとき、第２の扉４は、回動アーム６で回動半径が規制されているので、上方への回動と共に第１の扉３の内面側に引き込まれることになり、第１の扉３と第２の扉４は家具本体１の前面開口部に重なり状態で跳ね上がった全開状態となる。
【００５４】
上記全開状態から開閉扉２を閉じるには、把手１６を握って第２の扉４を引き下げればよく、第１の扉３と第２の扉４は蝶番を支点に閉じ方向に回動するが、このときピン１３を支点に回動する回動アーム６は、第２の扉４を第１の扉３の先端側下部に押すことになり、従って、第２の扉４は第１の扉３の先端側下部に移動し、第１の扉３と第２の扉４が上下に位置して下向きになる状態で開口部を閉じることになる。
【００５５】
なお、この第４の実施の形態の開閉扉２において、第２の扉４は上述した第２の実施の形態と同様、第１の扉３の外面を移動するように構成してもよい。
【００５６】
また、第１乃至第３の各実施の形態において、第１の扉３と第２の扉４を連動する機構は、両扉の上部側に位置するものを示したが、図１に一部示したが、両扉の下部側にも同様の連動する機構を上下反転状態で設け、第１の扉３と第２の扉４の連動が円滑に行えるようになっている。
【００５７】
【発明の効果】
以上のように、この発明によると、家具本体の開口部に枢止した第１の扉と、この第１の扉と連動して開閉動するよう家具本体に取り付けた第２の扉からなり、上記第１の扉と第２の扉を、開閉動作時に第２の扉が第１の扉に対して面方向に移動するよう連動し、第１の扉が開位置にあるとき第２の扉がこの第１の扉の一面側に重なり状となって開位置になり、第１の扉が閉位置にあるとき第１の扉と並ぶ閉位置になるようにしたので、開閉操作時に前方への扉の出っ張り量を少なくし、開扉時に二枚の扉が重なり状となることで、家具本体の開口部に対して扉のかぶり代をなくし、家具本体の開口幅を広くすることができるので品物の出し入れが円滑に行え、収納性や収納容積の向上を図ることができる。
【図面の簡単な説明】
【図１】この発明に係る家具類の開閉扉を食器棚に用いた第１の実施の形態を示す開扉状態の斜視図
【図２】（Ａ）は同上の閉扉状態を示す横断平面図、（Ｂ）は同じく開扉状態の横断平面図
【図３】開閉扉の閉扉状態を示す要部の斜視図
【図４】開閉扉の開扉状態を示す要部拡大縦断面図
【図５】（Ａ）は開閉扉の第２の実施の形態を示す閉扉状態の斜視図、（Ｂ）は同じく開扉状態の斜視図
【図６】（Ａ）は開閉扉の第２の実施の形態を示す閉扉状態の平面図、（Ｂ）は同じく開扉状態の平面図
【図７】（Ａ）は開閉扉の第２の実施の形態を示す閉扉状態の要部拡大縦断面図、（Ｂ）は同じく開扉状態の要部拡大縦断面図
【図８】（Ａ）は開閉扉の第３の実施の形態を示す閉扉状態の斜視図、（Ｂ）は同じく開扉状態の斜視図
【図９】（Ａ）は開閉扉の第３の実施の形態を示す閉扉状態の要部を拡大した縦断面図、（Ｂ）は同じく開扉状態の要部を拡大した縦断面図
【図１０】（Ａ）はこの発明に係る家具類の開閉扉を吊戸棚に用いた第４の実施の形態を示す開扉状態の斜視図、（Ｂ）は同閉扉状態の斜視図、（Ｃ）は開扉状態における開閉扉の要部を拡大した横断面図
【図１１】（Ａ）は従来の家具類の開閉扉である両開き観音扉の例を示す平面図、（Ｂ）は同じく二つ折り扉の例を示す平面図
【図１２】同じく従来の家具類の開閉扉である跳ね上げ式扉を示し、（Ａ）は一枚の跳ね上げ扉の例を示す側面図、（Ｂ）は二つ折り跳ね上げ扉の例を示す側面図、（Ｃ）は二枚の跳ね上げ扉の例を示す側面図
【符号の説明】
１    家具本体
２    開閉扉
３    第１の扉
４    第２の扉
５    ガイド機構
６    回動アーム
７    水平部
８    垂下部
９    カバー部材
１０  溝型ガイド
１１  溝型ガイド
１２  中間移動杆
１３  ピン
１４  ヒンジ
１５  ピン
１６  把手
２１  ガイド溝
２２  切り欠き部
２３  延長部
２４  ローラ
２５  揺動部材
３１  側縁ガイドレール部材
３２  ガイド溝
３３  摺動杆
３４  伸縮ダンパー
【図１】
2005016240.tif 000003
【図２】
2005016240.tif 000004
【図３】
2005016240.tif 000005
【図４】
2005016240.tif 000006
【図５】
2005016240.tif 000007
【図６】
2005016240.tif 000008
【図７】
2005016240.tif 000009
【図８】
2005016240.tif 000010
【図９】
2005016240.tif 000011
【図１０】
2005016240.tif 000012
【図１１】
2005016240.tif 000013
【図１２】
2005016240.tif 000014